(57)【要約】【課題】故障モデルに関わらず電力用半導体素子の寿命を推定することができる電力用半導体素子の寿命推定装置を得ることを目的とする。【解決手段】  電力用半導体素子の寿命推定装置１０は、運転中のサイリスタ５１１〜５１３の温度を継続的にそれぞれ計測する温度センサー１１と、温度センサー１１によって計測されたサイリスタ５１１〜５１３の温度の時系列データから、予め定められた長さを持つ区間の区間平均値および区間平均値の変化量を逐次算出する平均処理演算部１２３と、区間平均値および変化量を用いて、サイリスタ５１１〜５１３の温度が予め定められた管理温度に到達する時刻である管理温度到達時間を推定する管理温度到達時間推定部１２４とを備える。【選択図】図２
2020030086.tif 000002
【特許請求の範囲】
【請求項１】
運転中の電力用半導体素子の温度を継続的に計測する温度計測手段と、
前記温度計測手段によって計測された前記電力用半導体素子の温度の時系列データから、予め定められた長さを持つ区間の区間平均値および前記区間平均値の変化量を逐次算出する平均処理演算部と、
前記区間平均値および前記変化量を用いて、前記電力用半導体素子の温度が予め定められた管理温度に到達する時刻である管理温度到達時間を推定する管理温度到達時間推定部とを備えたことを特徴とする電力用半導体素子の寿命推定装置。
【請求項２】
前記温度計測手段によって測定された前記電力用半導体素子の温度値に応じて、前記電力用半導体素子を制御するゲート制御信号をオフにするマスク処理を施す処置実行部をさらに備えた請求項１に記載の電力用半導体素子の寿命推定装置。
【請求項３】
前記処置実行部は、前記温度計測手段による前回の測定値と今回の測定値との差が予め定められた閾値以上であった場合に、前記マスク処理を施す請求項２に記載の電力用半導体素子の寿命推定装置。
【請求項４】
前記管理温度到達時間推定部は、予め定められた値以上である前記変化量を前記管理温度到達時間の推定に用いる請求項１から３のいずれか１項に記載の電力用半導体素子の寿命推定装置。
【発明の詳細な説明】
【技術分野】
【０００１】
本願は、サイリスタなどの電力用半導体素子の寿命を推定する電力用半導体素子の寿命推定装置に関するものであり、特に、発電機の界磁巻線に直流電流を供給するサイリスタ励磁装置に設けられたサイリスタの寿命を推定する電力用半導体素子の寿命推定装置に関するものである。
【背景技術】
【０００２】
発電機の界磁巻線を励磁する方式の１つであるサイリスタ励磁方式は、サイリスタを利用して界磁巻線に所望の直流電流を供給するもので、構造が簡単であるとともに即応性があるという利点がある。一方、サイリスタは他の電力用半導体素子と同様に、チップ表面のワイヤ接合部または素子内部のはんだ接合部が継続的使用によって劣化し、劣化による異常または故障が発生する可能性がある。このような異常を防ぐため、定期的な点検・チェックにより運転中のサイリスタの状態を監視することが必要である。しかしながら、電力用半導体素子の寿命は周囲温度および使用条件により左右されることから、定期的な点検・チェックのみでは急激な劣化に対応しきれない可能性があった。
【０００３】
そこで、電力用半導体素子の温度を推定し、推定温度の変化の振幅に基づく熱ストレス回数および推定温度の変化率に基づく熱ストレス回数を演算・積算し、これらの熱ストレス回数と電力用半導体素子固有の許容熱ストレス回数とを用いて、電力用半導体素子の運転可能寿命を推定することが提案されている（例えば、特許文献１参照）。このような寿命推定は、パワーサイクルモデルに基づくものであり、摩耗故障のように熱疲労の蓄積モデルに従う故障について寿命推定が可能である。
【先行技術文献】
【特許文献】
【０００４】
【特許文献１】特開平８−１２６３３７号公報
【発明の概要】
【発明が解決しようとする課題】
【０００５】
しかしながら、電力用半導体素子の劣化およびこれに伴う故障、異常は、熱疲労の蓄積モデルに従うとは限らない。例えば製造工程における不純物の混入または不十分な絶縁耐圧確保は経時的、偶発的な漏れ電流の増加を発生させるが、このような偶発故障のモデルは熱疲労の蓄積モデルとは異なる故障モデルであり、特許文献１の技術では寿命推定が困難である。このため、定期的な点検・チェックにより電力用半導体素子劣化状況を監視する必要があり、監視コストが増加するという問題点があった。
【０００６】
本願は、上記のような課題を解決するための技術を開示するものであり、本願で開示される技術は、故障モデルに関わらず電力用半導体素子の寿命を推定することができる電力用半導体素子の寿命推定装置を得るものである。
【課題を解決するための手段】
【０００７】
本願に開示される電力用半導体素子の寿命推定装置は、運転中の電力用半導体素子の温度を継続的に計測する温度計測手段と、温度計測手段によって計測された電力用半導体素子の温度の時系列データから、予め定められた長さを持つ区間の区間平均値および区間平均値の変化量を逐次算出する平均処理演算部と、区間平均値および変化量を用いて、電力用半導体素子の温度が予め定められた管理温度に到達する時刻である管理温度到達時間を推定する管理温度到達時間推定部とを備えたものである。
【発明の効果】
【０００８】
本願に開示される技術によれば、故障モデルに関わらず電力用半導体素子の寿命を推定することができる。
【図面の簡単な説明】
【０００９】
【図１】実施の形態１に係るサイリスタ励磁装置を示す構成図である。
【図２】実施の形態１における電力用半導体素子の寿命推定装置示すブロック図である。
【図３】実施の形態１における電力用半導体素子の寿命推定装置のハードウエア構成を示す図である。
【図４】実施の形態１に係る温度値テーブルのフォーマットの例を示す図である。
【図５】実施の形態１における電力用半導体素子の寿命推定装置の動作を示すフロー図である。
【図６】実施の形態１に係る区間平均値比較処理を示すフロー図である。
【図７】管理温度到達時間の推定直線を示す特性図である。
【発明を実施するための形態】
【００１０】
実施の形態１．
以下に、実施の形態１を図１から図７に基づいて説明する。図１は、実施の形態１に係るサイリスタ励磁装置を示す構成図であり、図２は、実施の形態１における電力用半導体素子の寿命推定装置示すブロック図である。サイリスタ励磁装置５０は、発電機９１の界磁巻線９２に励磁電流を供給するもので、複数のサイリスタ、すなわち電力用半導体素子を有するサイリスタ部５１と、それぞれのサイリスタを制御するＡＶＲ（Ａｕｔｏｍａｔｉｃ  Ｖｏｌｔａｇｅ  Ｒｅｇｕｌａｔｏｒ）５２とを備えている。発電機９１がタービン（図示なし）により駆動され、界磁巻線９２にサイリスタ部５１から励磁電流が供給されると、発電機９１の出力電圧は、励磁変圧器９３によって降圧されてサイリスタ部５１に印加される。また発電機９１の出力電圧および発電機９１からの電流は、変成器９４および変流器９５をそれぞれ介してＡＶＲ５２にフィードバックとして入力される。ＡＶＲ５２は、内部にゲート制御信号生成部５２１を備えており、フィードバック電流ＩＲに応じてサイリスタ部５１のサイリスタを制御するゲート制御信号ｇを出力する。
【００１１】
電力用半導体素子の寿命推定装置１０は、図２に示すサイリスタ部５１のサイリスタ５１１〜５１３の寿命を推定するもので、運転中のサイリスタ５１１〜５１３の温度をそれぞれ継続的に計測し、計測した温度値を温度値データＤとして出力する温度センサー１１、すなわち温度計測手段と、温度値データＤを用いてサイリスタ５１１〜５１３のそれぞれの寿命を推定する寿命推定部１２と、寿命推定部１２による演算結果に基づいて、サイリスタ５１１〜５１３それぞれに対する処置の要否を判断する処置判断部１３と、処置判断部１３の判断結果に基づいてサイリスタ５１１〜５１３それぞれに対する処置を実行する処置実行部１４とを備えている。
【００１２】
寿命推定部１２は、温度センサー１１が出力する温度値データＤを一定のサンプリング周期でサンプリングする温度値データサンプリング部１２１と、温度値データサンプリング部１２１から温度値データＤを取得し、表形式の温度値テーブルとして保存する温度値テーブル記憶部１２２と、温度値データサンプリング部１２１から温度値データＤを取得し、時系列の温度値データＤを予め定められた個数毎に区切ることで区間を構成して、それぞれの区間の区間平均値および区間平均値の変化量を演算する平均処理演算部１２３と、サイリスタ５１１〜５１３の温度が管理温度に到達する時間を演算する管理温度到達時間推定部１２４を備えている。平均処理演算部１２３が演算した区間平均値およびその変化量は、温度値テーブル記憶部１２２に送られ温度値テーブル内に保存される。なお「管理温度」とは、点検または交換など、対象のサイリスタに対するオフラインでの対応が必要となる温度であり。具体的な数値は対象のサイリスタの仕様または使用環境により予め設定される。なお、温度値データサンプリング部１２１は、継続的に測定、出力を行っている温度センサー１１からリアルタイムでサンプリングを実施するため、温度センサー１１の測定時刻と温度値データサンプリング部１２１のサンプリング時刻の差は十分に小さい。
【００１３】
処置判断部１３は、管理温度到達時間推定部１２４の演算結果に基づいて、サイリスタ５１１〜５１３のそれぞれに対する「処置」の内容を判断し、判断結果に応じた処置信号ｓを処置実行部１４に出力する。処置実行部１４は、処置信号ｓの値に応じてゲート制御信号ｇに処置を施して処置後ゲート制御信号ｘとし、処置後ゲート制御信号ｘをそれぞれのサイリスタ５１１〜５１３に送信する。ここで「処置」とは、例えば「マスク処理」、「静観」である。「処置」が「マスク処理」である場合、対象のサイリスタがオフになるように処置信号ｓの値は「０」となり、ゲート制御信号ｇの値に関わらず処置後ゲート制御信号ｘの値は「０」となる。これは、対象のサイリスタは強制的に停止されることを示す。「処置」が「静観」の場合、処置信号ｓの値は「１」となり、処置後ゲート制御信号ｘはゲート制御信号ｇと等しくなる。この場合、対象のサイリスタはゲート制御信号ｇに従って運転を継続する。
【００１４】
なお、サイリスタ５１１〜５１３の温度測定、制御および寿命推定は、それぞれのサイリスタについて独立に行われるため、図に示す温度値データＤ、ゲート制御信号ｇ、処置信号ｓ、処置後ゲート制御信号ｘは、サイリスタ５１１〜５１３それぞれに対応する温度値データＤ１〜Ｄ３、ゲート制御信号ｇ１〜ｇ３、処置信号ｓ１〜ｓ３、処置後ゲート制御信号ｘ１〜ｘ３を含む。以降の説明においても同様である。
【００１５】
次に、図２で示した各機能部を実現するハードウエア構成について説明する。図３は、実施の形態１における電力用半導体素子の寿命推定装置のハードウエア構成を示す図である。電力用半導体素子の寿命推定装置１０は、各種演算を実行するプロセッサ８１と、プロセッサ８１を動作させるプログラムおよび各種演算の結果などを記憶する記憶装置８２と、温度センサー１１からの温度値データＤおよびＡＶＲ５２からのゲート制御信号ｇなどの入力信号を受け付け、プロセッサ８１および記憶装置８２に伝達する入力回路８３と、処置後ゲート制御信号ｘをサイリスタ部５１に出力する出力回路８４により構成される。
【００１６】
次に、温度値テーブルについて説明する。図４は、実施の形態１に係る温度値テーブルのフォーマットの例を示す図である。図４に示すように、温度値テーブルは、「データＩＤ」、「温度値」、「区間ＩＤ」、「区間平均値」、「前の区間の区間平均値との差」を含む。以下、詳細に説明する。
【００１７】
「データＩＤ」は、温度値データサンプリング部１２１によってサンプリングされた温度値データＤの時系列番号を示すものであり、サンプリング時刻に対応している。「温度値」は、温度値データＤが示す温度の値である。「区間ＩＤ」は、平均処理演算部１２３により定義された区間を識別するものであり、時系列において何番目の区間であるかを示すものである。なお、実施の形態１では１つの区間を構成する温度値データＤの個数をｈとしている。ｈの具体的数値は、温度センサー１１の時定数、温度値データＤを取得するサンプリング周期などから決定すればよい。また、ｈの決定にあたり、サイリスタ５１１〜５１３の仕様など、ベンダーから提供される詳細情報を考慮してもよい。
【００１８】
図４では、ある温度値データＤがどの区間の何番目の温度値データであるかが分かるように、温度値をＤ（ｋ，ｊ）の形式で表現している。温度値データＤのデータＩＤがｍ、区間ＩＤがｋ、第ｋ区間中の時系列番号がｊである場合、以下の式（１）が成り立つ。
【数１】
2020030086.tif 000003
【００１９】
「区間平均値」は、上述したように平均処理演算部１２３により算出される。第ｋ番目の区間の区間平均値ａｖｒ（ｋ）は、以下の式（２）で表される。
【数２】
2020030086.tif 000004
なお、図４においては式（２）を簡略化して記載している。
また、実施の形態１では１区間中のすべての温度値から算出した単純平均を区間平均値をとしているが、それぞれの温度値が重みづけされた加重平均であってもよい。また、区間中の最大値および最小値を除いて区間平均値を算出してもよい
【００２０】
「前の区間の区間平均値との差」は、図に示すように１区間前の区間平均値との差から第１区間の区間平均値との差まで、基準となる区間より前の全ての区間についての区間平均値との差を含んでいる。すなわち、基準となる区間が第ｋ区間である場合、１区間前の区間平均値との差をΔ（ｋ）、任意の区間（ｉ区間前）の区間平均値との差をΔ(ｋ、ｉ)とすれば、以下の式（３）（４）のようになる。
【数３】
2020030086.tif 000005
【数４】
2020030086.tif 000006
式（４）においてｉ＝ｋ−１の場合、式（５）で示すように第１区間の区間平均値との差となる。
【数５】
2020030086.tif 000007
なお、上述したように、サイリスタ５１１〜５１３の温度測定はそれぞれについて独立して行われるので、温度値テーブルもそれぞれのサイリスタについて独立して作成される。このため、温度値テーブル記憶部１２２は３つの温度値テーブルを記憶することとなる。
【００２１】
次に、動作を説明する。図５は、実施の形態１における電力用半導体素子の寿命推定装置の動作を示すフロー図である。ここではｍ回目のサンプリングを例に説明する。現在の区間は第ｋ区間であるとする。
まず、温度値データＤのサンプリングを行う（ステップＳＴ００１）サンプリングにより取得した温度値データＤの情報（データＩＤ、温度値）は、温度値テーブルに順次書きこんでいく。
【００２２】
次に、今回のサンプリングで取得した温度値データの温度値Ｄ（ｍ）と前回のサンプリングで取得した温度値データの温度値Ｄ（ｍ−１）の差（Ｄ（ｍ）―Ｄ（ｍ−１））を計算して温度上昇値を求め、この温度上昇値が許容温度上昇値ΔＴｍ以下であるかを判定する（ステップＳＴ００２）。温度上昇値が許容温度上昇値を上回る場合はステップＳＴ００３に進む。この場合、急激な温度上昇が発生したと認められるので、温度センサー１１の故障を含めた異常が検出されたと判定し、サイリスタ励磁装置５０および発電機１の停止などの処理を実施する（ステップＳＴ００３）。具体的には、処置判断部１３から処置実行部１４に対して「０」（ゲート強制停止）の処置信号ｓを送信し、処置実行部１４にてゲート制御信号ｇに対するマスク処理を施して、サイリスタ励磁装置５０および発電機１を停止させる。
なお、閾値である許容温度上昇値ΔＴｍはサイリスタ励磁装置５０の設計にて予め設定される。
【００２３】
温度上昇値が許容温度上昇値ΔＴｍ以下である場合、初期状態または前回の管理温度到達時間推定から１区間分サンプリングしたかを判定する（ステップＳＴ００４）。１区間分のサンプリングが実施されていない場合、ステップＳＴ００１に戻り、（ｍ＋１）回目のサンプリングを行う。以降、１区間分のサンプリングを実施するまでステップＳＴ００１〜ステップＳＴ００４を繰り返す。
【００２４】
１区間分のサンプリングを実施した場合、区間平均値ａｖｒ（ｋ）を算出し、温度値テーブルに書き込む（ステップＳＴ００５）。この際、前区間の区間平均値との差Δ（ｋ、ｉ）も算出して温度値テーブルに書き込んでおく。
【００２５】
次に、区間平均値比較処理を行う（ステップＳＴ００６）。図６は、区間平均値比較処理を示すフロー図である。区間平均値比較処理では、区間平均値の変化の程度を把握するために、有意な変化量が得られるまで現在（第ｋ区間）の区間平均値ａｖｒ（ｋ）と前区間の区間平均値を順次比較していく。まず、比較対象となる比較平均値ａｖｒ（ｋ−ｉ）を１区間前の区間平均値ａｖｒ（ｋ−１）とする。すなわち、ｉ＝１に設定する（ステップＳＴ１０１）。
【００２６】
次に、区間平均値の変化量ΔＴａを求め、変化量ΔＴａが有意温度上昇値ΔＴｅｆｆ以上であるかを判定する（ステップＳＴ００２）。区間平均値の変化量ΔＴａは温度値テーブルのΔ（ｋ、ｉ）と等しいので、対応するΔ（ｋ、ｉ）を温度値テーブルから読み出せばよい。区間平均値の変化量ΔＴａが有意温度上昇値ΔＴｅｆｆ以上である場合、現在の区間平均値と第（ｋ−ｉ）区間の区間平均値との間に有意な温度上昇が認められると判定し、区間平均値の変化量ΔＴａを保存して区間平均値比較処理を終了する（ステップＳＴ１０３）。
【００２７】
区間平均値の変化量ΔＴａが有意温度上昇値ΔＴｅｆｆより小さい場合、有意な温度上昇は認められないとし、ｉを１増やして比較平均値をさらに１つ前の区間の区間平均値に設定する（ステップＳＴ１０４）。その後、ステップＳＴ１０２に戻り区間平均値の変化量ΔＴａと有意温度上昇値ΔＴｅｆｆの比較を行う。区間平均値の変化量ΔＴａが有意温度上昇値ΔＴｅｆｆ以上となるまでステップＳＴ１０２とステップＳＴ１０４を繰り返す。なお、有意温度上昇値ΔＴｅｆｆの値は、対象のサイリスタの温度特性および管理温度の値などに基づいて予め定められる。また、実施の形態１では区間平均値の変化量ΔＴａと有意温度上昇値ΔＴｅｆｆを比較しているが、区間平均値の変化量ΔＴａを区間平均値ａｖｒ（ｋ）で除した変化率を求め、この変化率に基づいて有意な温度上昇が認められるか否かを判定してもよい。
【００２８】
区間平均値比較処理の完了後、現在の区間平均値ａｖｒ（ｋ）と区間平均値の変化量ΔＴａを用いて管理温度到達時間ｔｅの推定を行う（ステップＳＴ００７）。なお、ここではΔＴａ＝Δ（ｋ、１）であると仮定する。実施の形態１では、図７に示すように温度ＴをＴ＝ａＸ＋ｂの一次関数で近似することで推定直線Ｌ１を求め、温度Ｔが管理温度Ｔｃに到達する（Ｔ＝Ｔｃとなる）区間ＩＤである管理温度到達区間ｋｅを以下の式（６）により算出する。なお、ここでＸは、区間ＩＤの値を連続化したものである。
【数６】
2020030086.tif 000008
ここで、式（６）におけるａ、ｂは以下の式（７）のとおりである。
【数７】
2020030086.tif 000009
ａ、ｂを算出することで図７に示す推定直線Ｌ１を求めることができる。
なお、ΔＴａ＝Δ（ｋ、ｉ）と一般化した場合のａ、ｂは以下の式（８）のとおりである。
【数８】
2020030086.tif 000010
なお、式（６）により得られる管理温度到達区間ｋｅは、以下の式（９）により管理温度到達時間ｔｅに変換可能である。
【数９】
2020030086.tif 000011
ここで式（９）におけるＴｓは温度値データサンプリング部１２１のサンプリング周期である。ｈは、上述したとおり１つの区間を構成する温度値データＤの個数である。
【００２９】
次に、管理温度到達時間ｔｅの推定結果が変化したか否かを判定する（ステップＳＴ００８）。管理温度到達時間ｔｅに変化が無ければ処理を終了する。変化がある場合は、変化に応じた処置変更を行う（ステップＳＴ００９）。なお式（９）から分かるように、管理温度到達時間ｔｅは管理温度到達区間ｋｅの値より一意に決まるので、管理温度到達時間ｔｅが変化したか否かは、管理温度到達区間ｋｅが変化したか否かをみればよい。以下、区間ＩＤ（ｋ＋１）における区間平均値ａｖｒ（ｋ＋１）について場合分けをして説明する。
【００３０】
（１）ａｖｒ（ｋ＋１）＝ａｖｒ（ｋ＋１）＿１の場合
図７に示すように、点（ｋ＋１、ａｖｒ（ｋ＋１）＿１）は推定直線Ｌ１上に位置する。このため、ａｖｒ（ｋ＋１）＝ａｖｒ（ｋ＋１）＿１の場合は区間ＩＤ（ｋ＋１）における推定直線は推定直線Ｌ１と一致し、管理温度到達区間ｋｅ１は管理温度到達区間ｋｅと等しくなる。このため、管理温度到達時間の推定値に変化はなく処置変更は行われない。
【００３１】
（２）ａｖｒ（ｋ＋１）＝ａｖｒ（ｋ＋１）＿２の場合
図７に示すように、点（ｋ＋１、ａｖｒ（ｋ＋１）＿２）は推定直線Ｌ１よりも上側に位置する。このため、ａｖｒ（ｋ＋１）＝ａｖｒ（ｋ＋１）＿２の場合は区間ＩＤ（ｋ＋１）における推定直線Ｌ２は推定直線Ｌ１よりも傾きが大きくなり、管理温度到達区間ｋｅ２は管理温度到達区間ｋｅよりも小さくなる。これは対象のサイリスタの推定寿命が短くなったことを示すので、例えば定期メンテナンスの実施時期および対象のサイリスタの交換時期を早めるなどの処置変更が実施される。
【００３２】
（３）ａｖｒ（ｋ＋１）＝ａｖｒ（ｋ＋１）＿３の場合
図７に示すように、点（ｋ＋１、ａｖｒ（ｋ＋１）＿３）は推定直線Ｌ１よりも下側に位置する。このため、ａｖｒ（ｋ＋１）＝ａｖｒ（ｋ＋１）＿３の場合は区間ＩＤ（ｋ＋１）における推定直線Ｌ３は推定直線Ｌ１よりも傾きが小さくなり、管理温度到達区間ｋｅ３は管理温度到達区間ｋｅよりも大きくなる。これは対象のサイリスタの推定寿命が長くなったことを示すので、例えば定期メンテナンスの実施時期および対象のサイリスタの交換時期を遅くするなどの処置変更が実施される。
【００３３】
時刻が管理温度到達時間ｔｅに達したときは、対象のサイリスタの温度に応じて処置を施す。温度が管理温度Ｔｃ未満である場合、対象のサイリスタおよび装置全体の運転を継続させる。温度が管理温度Ｔｃ以上である場合、対象のサイリスタを停止させるとともに、装置の構成に応じてサイリスタ励磁装置５０全体または発電機９１を含むシステム全体を停止させる。システムが冗長化されている場合は待機系を起動させて運転を継続する。
【００３４】
電力用半導体素子の寿命推定装置１０は、以上説明した動作を運転中のサイリスタ励磁装置５０のサイリスタ５１１〜５１３に対して反復継続的に実行する。すなわち、温度センサー１１から１区間分の温度値データＤが取得される度に平均処理演算部１２３は区間平均値およびその変化量を逐次演算する。管理温度到達時間推定部１２４は、新たに演算された区間平均値およびその変化量を用いて管理温度到達時間の推定を逐次行い、管理温度到達時間の推定値を更新していく。
【００３５】
実施の形態１によれば、故障モデルに関わらず電力用半導体素子の寿命を推定することができる。より具体的には、温度センサーによって計測されたサイリスタの温度の時系列データから、予め定められた長さを持つ区間における区間平均値および区間平均値の変化量を逐次算出する平均処理演算部と、区間平均値およびその変化量から管理温度到達時間を推定する管理温度到達時間推定部を備えた。半導体素子の劣化による故障および異常は温度上昇を伴うため、逐次算出される区間平均値およびその変化量という温度情報を用いて管理温度到達時間を推定すれば、詳細な故障モデルを明らかでなくても管理温度到達時間を推定でき、監視可能な故障モデルは限定されない。また、推定を逐次行うことで一定の精度を確保した推定を行うとともに、推定結果の変化に応じて適切な処置変更を行うことが可能となる。このため、メンテナンスの実施時期および半導体素子の交換時期の最適化を図ることで監視コストの増加を抑制するとともに、装置全体の稼働率向上を図ることができる。
【００３６】
また、温度センサーによって測定されたサイリスタの温度値に応じて、対象のサイリスタを制御するゲート制御信号に対してマスク処理を実行する処置実行部を備えたため、サイリスタの温度に応じた処理をリアルタイムで行うことができ、偶発的に発生する異常および故障を迅速に摘発し、トラブルを未然に防ぐことができる。
【００３７】
また、温度センサーによる前回の測定値と今回の測定値との差が許容温度上昇値異常であった場合、ゲート制御信号に対してマスク処理を施し、強制的に停止させるため、突発的な異常事態にも対応することができる。
【００３８】
また、管理温度到達時間の推定に用いる区間平均値の変化量は有意温度上昇値以上であるため、一時的な温度の揺らぎまたは有意でない微小変化に基づいて推定が行われることを防ぎ、より精度の高い推定を行うことができる。
【００３９】
なお、実施の形態１では図４に示した温度値テーブルを作成した後、区間平均値比較処理において温度値テーブルに書き込まれたΔ（ｋ、ｉ）を用いて区間平均値の比較を行っているが、区間平均値比較処理において必要に応じて現在の区間平均値と比較平均値の差を算出してもよい。この場合、現在の区間平均値と比較平均値の差が有意温度上昇値ΔＴｅｆｆ以上となった後はΔ（ｋ、ｉ）の算出および保存は行わなくてもよい。例えばΔ（ｋ、１）が有意温度上昇値ΔＴｅｆｆ以上であればΔ（ｋ、２）、Δ（ｋ、３）などの算出は省略可能である。また、前の区間の区間平均値との差であるΔ（ｋ、ｉ）を温度値テーブルから省略することができるので、温度値テーブルのデータサイズを小さくすることができる。
【００４０】
また、上記ではサイリスタを例に説明したが、実施の形態１の技術は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）およびＩＧＢＴ（Ｉｎｓｕｌａｔｅｄ  Ｇａｔｅ  Ｂｉｐｏｌａｒ  Ｔｒａｎｓｉｓｔｏｒ）など、他の電力用半導体素子にも適用可能である。
【００４１】
本願は、例示的な実施の形態が記載されているが、実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合が含まれるものとする。
【符号の説明】
【００４２】
１０  電力用半導体素子の寿命推定装置、１１  温度センサー、１２  寿命推定部、１２２  温度値テーブル記憶部、１２３  平均処理演算部、１２４  管理温度到達時間推定部、１３  処置判断部、１４  処置実行部、５０  サイリスタ励磁装置、５１  サイリスタ部、５１１、５１２、５１３  サイリスタ、Ｄ  温度値データ、ｇ  ゲート制御信号、ｓ  処置信号、ｘ  処置後ゲート制御信号、Ｌ１、Ｌ２、Ｌ３  推定直線
【図１】
2020030086.tif 000012
【図２】
2020030086.tif 000013
【図３】
2020030086.tif 000014
【図４】
2020030086.tif 000015
【図５】
2020030086.tif 000016
【図６】
2020030086.tif 000017
【図７】
2020030086.tif 000018